(57)【要約】【課題】加圧クリーニング時における液体の無駄な消費を抑制することができる液体噴射装置及び加圧クリーニングシステムを提供する。【解決手段】液体噴射装置は、複数種の液体を複数のノズル２６から噴射する液体噴射部２８と、液体噴射部ごとに対応する複数の供給経路３４と、供給経路ごとで開弁又は閉弁し、液体噴射部に供給される液体の圧力を調整可能な複数の圧力調整弁３９と、供給経路を通じて圧力調整弁に供給される液体を加圧可能な加圧機構３５と、圧力調整弁を開弁可能な開弁機構８０と、を備え、開弁機構は、圧力調整弁ごとに対応して設けられ、対応する圧力調整弁を開弁方向に駆動可能な複数の弁駆動部を備える。【選択図】図２
2018176627.tif 000002
【特許請求の範囲】
【請求項１】
複数種の液体ごとに対応した複数のノズルから前記液体を噴射する液体噴射部と、
前記液体ごとに対応した複数の液体供給源と前記液体噴射部における複数の前記ノズルとの間をそれぞれ接続する複数の供給経路と、
前記供給経路ごとに設けられ、開弁又は閉弁することにより、前記液体噴射部に供給される前記液体の圧力を調整可能な複数の圧力調整弁と、
前記供給経路を通じて前記液体供給源から前記圧力調整弁に供給される前記液体を加圧可能な加圧機構と、
前記圧力調整弁を開弁可能な開弁機構と、を備え、
前記開弁機構は、
前記圧力調整弁ごとに対応して設けられ、対応する前記圧力調整弁を開弁方向に駆動可能な複数の弁駆動部を備えることを特徴とする液体噴射装置。
【請求項２】
前記開弁機構は、
エアを供給するエア供給部と、
前記圧力調整弁ごとに対応して設けられ、前記エア供給部から供給されるエアの供給量に基づき、対応する前記圧力調整弁を開弁方向に駆動可能な複数の弁駆動部と、
前記弁駆動部ごとに対応して設けられ、対応する前記弁駆動部に向けて前記エアを誘導可能な複数のエア誘導部と、
前記エア供給部から供給される前記エアを複数の前記エア誘導部のうちから選択された前記エア誘導部に対して供給可能なエア選択部と、
を備えることを特徴とする請求項１に記載の液体噴射装置。
【請求項３】
前記液体噴射部は、移動体に搭載されており、前記圧力調整弁及び前記開弁機構は、前記移動体上に設けられていることを特徴とする請求項２に記載の液体噴射装置。
【請求項４】
前記エア選択部には、前記エア誘導部ごとに対応する複数のソレノイドが設けられ、前記エアは複数の前記ソレノイドのうち前記エア誘導部を選択するために励磁された前記ソレノイドと対応する前記エア誘導部を介して前記弁駆動部に誘導されることを特徴とする請求項２又は請求項３に記載の液体噴射装置。
【請求項５】
前記ソレノイドは、永久磁石を備えたキープソレノイドであることを特徴とする請求項４に記載の液体噴射装置。
【請求項６】
前記エア誘導部には、当該エア誘導部内を大気開放可能な大気開放部が設けられていることを特徴とする請求項２〜請求項５のうち何れか一項に記載の液体噴射装置。
【請求項７】
前記開弁機構には、選択された前記エア誘導部に対するエアの供給量を調整可能なエア調整部が設けられていることを特徴とする請求項２〜請求項６のうち何れか一項に記載の液体噴射装置。
【請求項８】
複数種の液体ごとに対応した複数のノズルから前記液体を噴射する液体噴射部と、前記液体ごとに対応した複数の液体供給源と前記液体噴射部における複数の前記ノズルとの間をそれぞれ接続する複数の供給経路と、を備えた液体噴射装置における加圧クリーニングシステムであって、
前記供給経路ごとに設けられ、開弁又は閉弁することにより、前記液体噴射部に供給される前記液体の圧力を調整可能な複数の圧力調整弁と、
前記供給経路を通じて前記液体供給源から前記圧力調整弁に供給される前記液体を加圧可能な加圧機構と、
前記圧力調整弁を開弁可能な開弁機構と、を備え、
前記開弁機構は、
エアを供給するエア供給部と、
前記圧力調整弁ごとに対応して設けられ、前記エア供給部から供給されるエアの供給量に基づき、対応する前記圧力調整弁を開弁方向に駆動可能な複数の弁駆動部と、
前記弁駆動部ごとに対応して設けられ、対応する前記弁駆動部に向けて前記エアを誘導可能な複数のエア誘導部と、
前記エア供給部から供給される前記エアを複数の前記エア誘導部のうちから選択された前記エア誘導部に対して供給可能なエア選択部と、
を備えることを特徴とする加圧クリーニングシステム。
【発明の詳細な説明】
【技術分野】
【０００１】
本発明は、液体噴射装置及び加圧クリーニングシステムに関する。
【背景技術】
【０００２】
従来から、液体噴射部におけるノズルの目詰まり等の解消を目的として、液体供給源と液体噴射部とを接続する供給経路を介して液体噴射部側に液体を圧送し、加圧された液体をノズルから滲み出させる加圧クリーニングシステムを備えた液体噴射装置が知られている。加圧クリーニングシステムは、加圧ポンプと、圧力調整弁と、開弁機構とを備える。加圧ポンプは、液体噴射部から噴射される複数種の液体ごとに対応した複数の供給経路において液体供給源から圧力調整弁に供給される液体を加圧する。圧力調整弁は、複数の供給経路において加圧ポンプよりも液体噴射部側にそれぞれ設けられ、圧力調整弁よりも加圧ポンプ側の液体の圧力と液体噴射部側の液体の圧力との差圧に基づき開弁又は閉弁して、液体噴射部側に供給される液体の圧力を調整する。開弁機構は、加圧ポンプの駆動で圧力調整弁よりも加圧ポンプ側の液体の圧力が高められた状態において、閉弁状態の圧力調整弁を強制的に開弁することにより、加圧された液体を液体噴射部側に流動させる（例えば、特許文献１参照）。
【先行技術文献】
【特許文献】
【０００３】
【特許文献１】特開２０１１−２４０５６５号公報
【発明の概要】
【発明が解決しようとする課題】
【０００４】
ところで、従来の液体噴射装置では、複数の供給経路ごとに設けられた複数の圧力調整弁を、加圧クリーニング時に開弁機構により一斉に開弁させていた。そのため、液体噴射部が複数種の液体ごとに有する複数のノズルのうち、目詰まり等が生じているために加圧クリーニングが必要とされるノズルからだけでなく、目詰まり等が生じていないために実際には加圧クリーニングが不必要なノズルからも、加圧された液体が同様に滲み出ていた。したがって、そのような加圧クリーニングが不必要なノズルからも滲み出る分だけ、加圧クリーニング時に液体が無駄に消費されていた。
【０００５】
本発明は、こうした実情に鑑みてなされたものであり、その目的は、加圧クリーニング時における液体の無駄な消費を抑制することができる液体噴射装置及びそのような液体噴射装置が備える加圧クリーニングシステムを提供することにある。
【課題を解決するための手段】
【０００６】
以下、上記課題を解決するための手段及びその作用効果について記載する。
上記課題を解決する液体噴射装置は、複数種の液体ごとに対応した複数のノズルから前記液体を噴射する液体噴射部と、前記液体ごとに対応した複数の液体供給源と前記液体噴射部における複数の前記ノズルとの間をそれぞれ接続する複数の供給経路と、前記供給経路ごとに設けられ、開弁又は閉弁することにより、前記液体噴射部に供給される前記液体の圧力を調整可能な複数の圧力調整弁と、前記供給経路を通じて前記液体供給源から前記圧力調整弁に供給される前記液体を加圧可能な加圧機構と、前記圧力調整弁を開弁可能な開弁機構と、を備え、前記開弁機構は、前記圧力調整弁ごとに対応して設けられ、対応する前記圧力調整弁を開弁方向に駆動可能な複数の弁駆動部を備える。
【０００７】
この構成によれば、開弁機構は、液体噴射部における複数のノズルのうち加圧クリーニングが必要とされるノズルに対応した供給経路に設けられた圧力調整弁だけを、開弁方向に駆動できる。すなわち、加圧クリーニングが不必要なノズルに対応した供給経路に設けられた圧力調整弁は開弁されず、加圧クリーニングが不必要なノズルからは加圧された液体が無駄に滲み出ることはない。したがって、加圧クリーニング時における液体の無駄な消費を抑制することができる。
【０００８】
上記液体噴射装置において、前記開弁機構は、エアを供給するエア供給部と、前記圧力調整弁ごとに対応して設けられ、前記エア供給部から供給されるエアの供給量に基づき、対応する前記圧力調整弁を開弁方向に駆動可能な複数の弁駆動部と、前記弁駆動部ごとに対応して設けられ、対応する前記弁駆動部に向けて前記エアを誘導可能な複数のエア誘導部と、前記エア供給部から供給される前記エアを複数の前記エア誘導部のうちから選択された前記エア誘導部に対して供給可能なエア選択部と、を備える。
【０００９】
この構成によれば、開弁機構において、エア供給部から供給されるエアは、複数のエア誘導部のうちエア選択部により選択されたエア誘導部を介して当該エア誘導部が対応する弁駆動部に供給される。そのため、液体噴射部における複数のノズルのうち加圧クリーニングが必要とされるノズルに対応した供給経路に設けられた圧力調整弁だけを、選択されたエア誘導部を介したエアの供給により開弁方向に駆動できる。すなわち、加圧クリーニングが不必要なノズルに対応した供給経路に設けられた圧力調整弁は開弁されず、加圧クリーニングが不必要なノズルからは加圧された液体が無駄に滲み出ることはない。したがって、加圧クリーニング時における液体の無駄な消費を抑制することができる。
【００１０】
上記液体噴射装置において、前記液体噴射部は、移動体に搭載されており、前記圧力調整弁及び前記開弁機構は、前記移動体上に設けられていることが好ましい。
供給されるエアの供給量に基づき圧力調整弁を開弁させる開弁機構において、エア供給部からエア選択部及びエア誘導部を介して弁駆動部にエアを供給するエア供給系は、圧力調整弁に対する距離が長い場合よりも短い場合の方が、圧力調整弁を開弁方向に駆動するエアの供給量も減衰し難くなる。この点、上記構成によれば、エア供給系を構成する開弁機構は、圧力調整弁と共に移動体上に設けられているので、圧力調整弁が設けられた移動体上に開弁機構が設けられていない場合よりも、圧力調整弁に対する距離が短くなり、圧力調整弁を効率よく開弁方向に駆動できる。
【００１１】
上記液体噴射装置において、前記エア選択部には、前記エア誘導部ごとに対応する複数のソレノイドが設けられ、前記エアは複数の前記ソレノイドのうち前記エア誘導部を選択するために励磁により駆動された前記ソレノイドと対応する前記エア誘導部を介して前記弁駆動部に誘導されることが好ましい。
【００１２】
この構成によれば、複数のソレノイドのうち、加圧クリーニングが必要とされるノズルに対応した供給経路上の圧力調整弁を開弁させる弁駆動部に向けてエアを誘導可能なエア誘導部と対応付けられたソレノイドを励磁により駆動することにより、閉弁状態の圧力調整弁を応答性よく開弁させることができる。
【００１３】
上記液体噴射装置において、前記ソレノイドは、永久磁石を備えたキープソレノイドであることが好ましい。
この構成によれば、キープソレノイドは、励磁により駆動された後において消磁により駆動停止されても永久磁石の吸着作用により、励磁により駆動されたときに複数のエア誘導部のうちから選択したエア誘導部の選択状態を省電力で維持できる。
【００１４】
上記液体噴射装置において、前記エア誘導部には、当該エア誘導部内を大気開放可能な大気開放部が設けられていることが好ましい。
この構成によれば、例えば電源のオフ時等において、キープソレノイドにより選択状態が維持されたエア誘導部を大気開放させると、供給されるエアの供給量に基づき弁駆動部が圧力調整弁を開弁方向に駆動することもなくなる。そのため、圧力調整弁が開弁したままとなることを回避でき、液体が無駄にノズルから漏れ出ることを抑制できる。
【００１５】
上記液体噴射装置において、前記開弁機構には、選択された前記エア誘導部に対するエアの供給量を調整可能なエア調整部が設けられていることが好ましい。
供給経路を介して液体噴射部に供給される液体は、その種類によって液体の粘度が異なる場合があり、通常、高粘度の液体は低粘度の液体よりも流動性が低い。そのため、高粘度の液体を液体噴射部に供給する供給経路の圧力調整弁を、低粘度の液体を液体噴射部に供給する供給経路の圧力調整弁と同様の条件で開弁させた場合には、液体の流動性が低いために、高粘度の液体を噴射するノズルの加圧クリーニングに費やす時間が増大してしまう。この点、上記構成によれば、高粘度の液体を噴射するノズルに対応した供給経路上の圧力調整弁を開弁させる際に駆動される弁駆動部に向けてエアを誘導するエア誘導部に対するエアの供給量を相対的に大きくなるように調整すれば、時間当たりの液体の流動量を稼ぐことができるので、加圧クリーニングに費やす時間を短縮できる。
【００１６】
上記課題を解決する加圧クリーニングシステムは、複数種の液体ごとに対応した複数のノズルから前記液体を噴射する液体噴射部と、前記液体ごとに対応した複数の液体供給源と前記液体噴射部における複数の前記ノズルとの間をそれぞれ接続する複数の供給経路と、を備えた液体噴射装置における加圧クリーニングシステムであって、前記供給経路ごとに設けられ、開弁又は閉弁することにより、前記液体噴射部に供給される前記液体の圧力を調整可能な複数の圧力調整弁と、前記供給経路を通じて前記液体供給源から前記圧力調整弁に供給される前記液体を加圧可能な加圧機構と、前記圧力調整弁を開弁可能な開弁機構と、を備え、前記開弁機構は、エアを供給するエア供給部と、前記圧力調整弁ごとに対応して設けられ、前記エア供給部から供給されるエアの供給量に基づき、対応する前記圧力調整弁を開弁方向に駆動可能な複数の弁駆動部と、前記弁駆動部ごとに対応して設けられ、対応する前記弁駆動部に向けて前記エアを誘導可能な複数のエア誘導部と、前記エア供給部から供給される前記エアを複数の前記エア誘導部のうちから選択された前記エア誘導部に対して供給可能なエア選択部と、を備える。
【００１７】
この構成によれば、上記構成の液体噴射装置の場合と同様の作用効果を享受することができる。
【図面の簡単な説明】
【００１８】
【図１】液体噴射装置の一実施形態の概略構造を模式的に示す側面図。
【図２】加圧クリーニングシステムの概略構造を示す模式図。
【発明を実施するための形態】
【００１９】
以下、液体噴射装置及び液体噴射装置における加圧クリーニングシステムの一実施形態について、図面を参照しながら説明する。
図１に示すように、液体噴射装置１１は、支持台１２に支持された媒体の一例としてのシート１３を支持台１２の表面に沿って搬送方向Ｙに搬送させる搬送部１４と、搬送されるシート１３にインク等の液体を噴射して印刷を行う印刷部１５とを備える。
【００２０】
支持台１２、搬送部１４及び印刷部１５は、ハウジングやフレームなどによって構成される装置本体１６に組み付けられている。なお、支持台１２は、液体噴射装置１１において、シート１３の幅方向（図１では紙面と直交する方向）に延在している。また、装置本体１６には、カバー１７が開閉可能に取り付けられている。
【００２１】
搬送部１４は、搬送方向Ｙにおける支持台１２の上流側及び下流側にそれぞれ配置される搬送ローラー対１８，１９を備える。さらに、搬送部１４は、搬送方向Ｙにおける搬送ローラー対１９の下流側に配置されてシート１３を支持しながら案内する案内板２０を備える。そして、搬送部１４は、搬送ローラー対１８，１９が搬送モーター（図示略）に駆動されてシート１３を挟持しながら回転することにより、支持台１２の表面及び案内板２０の表面に沿ってシート１３を搬送する。
【００２２】
印刷部１５は、シート１３の搬送方向Ｙと直交（交差）するシート１３の幅方向となる走査方向Ｘに延設されたガイド軸２２，２３と、そのガイド軸２２，２３に案内されて走査方向Ｘに往復移動可能な移動体の一例であるキャリッジ２５とを備える。なお、キャリッジ２５はキャリッジモーター２４（図２参照）の駆動に伴い走査方向Ｘに移動する。
【００２３】
キャリッジ２５の下端部には、複数のノズル２６が形成されたノズル形成面２７を有する液体噴射部２８が取り付けられている。液体噴射部２８は、ノズル形成面２７が鉛直方向Ｚにおいて支持台１２と所定間隔をおいて対向する姿勢でキャリッジ２５に取り付けられ、キャリッジモーター２４の駆動に伴いキャリッジ２５と共に走査方向Ｘに移動する。本実施形態では、一例として、二つの液体噴射部２８が、走査方向Ｘに所定の間隔だけ離れ、且つ、搬送方向Ｙに所定の距離だけずれるように配置されている。なお、液体噴射部２８における複数のノズル２６からは、種類の異なる液体がそれぞれ噴射される。
【００２４】
また、走査方向Ｘにおいて液体噴射部２８が搬送中のシート１３と対峙しない非印刷領域（図１において支持台１２よりも紙面と直交する方向で手前側となる領域）には、液体噴射部２８をメンテナンスするためのメンテナンスユニット３０（図２参照）が設けられている。メンテナンスユニット３０は、液体噴射部２８のノズル形成面２７を払拭可能なワイパー３０ａと、上昇したときノズル２６を囲うようにノズル形成面２７に当接可能なキャップ３０ｂとを備える。
【００２５】
キャリッジ２５の上側には、液体供給源３１から液体噴射部２８に向けて液体（インク等）を供給する供給機構３２の一部が取り付けられている。供給機構３２は、液体供給源３１側となる上流側から液体噴射部２８側となる下流側に向かう供給方向Ａに液体を流動させる。なお、液体供給源３１と供給機構３２は、液体噴射部２８から噴射される液体の種類ごとに対応して複数（本実施形態では５つずつ）設けられている。
【００２６】
液体供給源３１は、例えば液体を収容可能な収容容器であり、収容容器を交換することで液体を補給するカートリッジであってもよいし、開閉可能な補給口を有して装着部３３に固定された収容タンクであってもよい。装着部３３には、収容する液体の種類が異なる複数の液体供給源３１を保持可能である。
【００２７】
液体供給源３１に収容された液体が供給機構３２を介して液体噴射部２８に供給され、液体噴射部２８から噴射されることにより、印刷部１５においてカラー印刷や白黒印刷等が可能になっている。液体の一例としては、シアン、マゼンタ、イエロー、ブラック、ホワイト、シルバー、ライトシアン、ライトマゼンタ、ライトイエロー、オレンジ、グリーン、グレーなどの着色インク、及び、洗浄液などがあり、これら複数種の液体のうちから任意に選択することができる。
【００２８】
なお、複数種の液体のうち、ホワイトインクは、例えばシート１３が透明又は半透明のフィルムであったり、濃色の媒体であったりした場合に、カラー印刷を行う前の下地印刷（ベタ印刷（塗り潰し印刷））などに使用される。本実施形態の液体噴射装置１１では、シアン、マゼンタ、イエロー、ホワイトの４色のインクと洗浄液とからなる複数種（この場合は５種）の液体が、種類の異なる液体ごとに対応させて液体噴射部２８に設けた複数（例えば５つのノズル群）のノズル２６からそれぞれ噴射される。
【００２９】
ところで、液体噴射部２８の複数のノズル２６から噴射される液体の種類が異なる場合には、それぞれの粘度も異なっていることがある。本実施形態においては、上記した４色のインクと洗浄液とからなる複数種の液体のうち、ホワイトインクが最も高粘度であり、次いでシアン、マゼンタ、イエローのカラーインクが中粘度であり、洗浄液が最も低粘度である。そのため、複数種の液体は供給機構３２を介して液体供給源３１から液体噴射部２８側に流れるときの流動性に差が生じる。すなわち、高粘度のホワイトインクの流動性よりも中粘度のカラーインクの流動性の方がよく、また、中粘度のカラーインクの流動性よりも低粘度の洗浄液の流動性の方がよく、供給経路上での流動抵抗が小さい。
【００３０】
次に、液体噴射部２８に液体（インク、洗浄液）を圧送することにより液体噴射部２８におけるノズル２６の目詰まりを解消する加圧クリーニングシステムについて説明する。
図２に示すように、供給機構３２は、液体供給源３１から液体噴射部２８に液体を供給する供給経路３４を備える。供給経路３４には、液体噴射部２８に向かう供給方向Ａに液体を圧送可能な加圧機構３５と、供給経路３４に対して着脱可能に設けられたフィルターユニット３６とが設けられている。さらに、供給経路３４において、キャリッジ２５の移動に伴って移動する範囲Ｂ（すなわち、キャリッジ２５上）には、供給経路３４を流れる液体の流れに変化（例えば、流れの方向転換や分割）を起こさせるスタティックミキサー３７と、液体を貯留する液体貯留室３８と、液体噴射部２８に供給される液体の圧力を開弁又は閉弁して調整する圧力調整弁３９とが設けられている。そして、液体噴射装置１１は、キャリッジモーター２４及び加圧機構３５の駆動と、液体噴射部２８からの液体の噴射とを制御する制御部４０を備える。
【００３１】
供給経路３４は、複数の供給経路４１〜４６により構成されている。第１供給経路４１は、液体供給源３１と加圧機構３５とを接続し、第２供給経路４２は、加圧機構３５とフィルターユニット３６の上流室４８とを接続する。第３供給経路４３は、フィルターユニット３６の下流室４９とスタティックミキサー３７の上流端とを接続し、第４供給経路４４は、スタティックミキサー３７の下流端と液体貯留室３８とを接続する。第５供給経路４５は、液体貯留室３８と圧力調整弁３９とを接続し、第６供給経路４６は、圧力調整弁３９と液体噴射部２８とを接続する。
【００３２】
加圧機構３５は、ポンプ室の容積が可変のダイヤフラムポンプ５０と、ダイヤフラムポンプ５０よりも上流側の吸入弁５１と、ダイヤフラムポンプ５０よりも下流側の吐出弁５２とを備えている。ダイヤフラムポンプ５０は、例えばポンプ室の壁面の一部を構成する不図示の可撓性部材が付勢部材によりポンプ室の容積を減少させる方向に付勢された構造である。吸入弁５１と吐出弁５２は、液体供給源３１側から液体噴射部２８側に向かう供給方向Ａへの液体の流れを許容すると共に、液体噴射部２８側から液体供給源３１側に向かう逆流方向への液体の流れを阻害する一方向弁として機能する。そのため、加圧機構３５は、ダイヤフラムポンプ５０のポンプ室の容積が増大するのに伴って液体供給源３１側から吸入弁５１を介して液体を吸引し、ポンプ室の容積が減少するのに伴って加圧された液体を液体噴射部２８側へ吐出弁５２を介して吐出する。
【００３３】
フィルターユニット３６には、上流室４８と下流室４９とを仕切る供給源側フィルター５３が設けられている。また、圧力調整弁３９には、液体貯留室３８よりも液体噴射部２８側に設けられる噴射部側フィルター５４が設けられている。さらに、供給経路３４の下流端が接続される液体噴射部２８には、噴射部内フィルター５５が設けられている。これらのフィルターは、液体中の気泡や異物を捕捉する。また、液体噴射部２８内には、噴射部内フィルター５５を通過した液体が一時貯留される液室２８ａが設けられている。
【００３４】
スタティックミキサー３７は、筒状ハウジング５６と、筒状ハウジング５６内に該筒状ハウジング５６の軸方向に連設されたエレメントとしての複数の分断板５７とにより構成され、連設される分断板５７に、互いに逆転する捻りを加えた構造をなす。そして、液体が各分断板５７を通過する毎に、通過する液体に新たな捩りと分割を付与することで、通過する液体を均一に混合する。
【００３５】
液体貯留室３８は、供給経路３４におけるスタティックミキサー３７よりも液体噴射部２８側に設けられ、供給経路３４を介して流入した液体を貯留する。液体貯留室３８は、その一部が可撓性部材５８で形成されている。可撓性部材５８は、例えば液体貯留室３８の壁面の一部に開口を形成し、その開口を閉塞するように撓み変位可能なフィルム部材を溶着することによって形成することができる。そして、可撓性部材５８は、液体貯留室３８の容積を小さくする方向にばね５９により付勢されている。なお、ばね５９が可撓性部材５８を介して液体を付勢する付勢力は、加圧機構３５が液体を加圧する加圧力よりも小さくなるように設定されている。また、液体貯留室３８において第４供給経路４４の下流端は、第５供給経路４５の上流端よりも鉛直方向Ｚの上方に接続されている。
【００３６】
圧力調整弁３９は、噴射部側フィルター５４により仕切られたフィルター室６１と供給室６２とを備える。さらに、圧力調整弁３９は、供給室６２と連通孔６３を介して連通する圧力室６４と、圧力室６４と供給室６２との間に配置されて連通孔６３を塞ぐ閉弁方向とその反対の開弁方向に変位可能とされた弁体６５と、弁体６５を閉弁方向に付勢する付勢部材６６とを備える。圧力室６４は、付勢部材６６の付勢方向において連通孔６３と対向する壁面が圧力室６４の容積を増減させる方向に撓み変形可能なダイヤフラム６７により構成されている。
【００３７】
弁体６５は、その一端（図２では右端）が供給室６２内に位置すると共に、その他端（図２では左端）に形成された受圧部６５ａが圧力室６４内に位置する状態で、その軸形状をなす中央部が連通孔６３に挿通されている。そして、弁体６５は、付勢部材６６に付勢されることにより、その他端の受圧部６５ａが圧力室６４内においてダイヤフラム６７の内面（図２では右面）に常に接触している。そのため、ダイヤフラム６７は、その内面側に圧力室６４内の液体の圧力と付勢部材６６の付勢力との合力である内面側圧力を受ける。一方、ダイヤフラム６７は、その外面側（図２では左面側）に大気圧である外面側圧力を受ける。そして、ダイヤフラム６７は、その内面側圧力と外面側圧力との差圧の変化に応じて撓み変形する。
【００３８】
図１及び図２に示すように、供給機構３２は、液体が循環可能な循環経路６８を供給経路３４と協働して形成する分岐経路６９を備える。分岐経路６９は、その一端側が供給経路３４における第２供給経路４２に接続されると共に、その他端側が供給経路３４における第６供給経路４６よりも液体噴射部２８側に接続されている。さらに、分岐経路６９には、循環経路６８内の液体を流動させる流動機構７０が設けられている。
【００３９】
分岐経路６９は、流動機構７０と液体噴射部２８内の液室２８ａとを接続する第１分岐経路７１と、流動機構７０と第２供給経路４２とを接続する第２分岐経路７２とにより構成されている。すなわち、循環経路６８は、第２供給経路４２、第３供給経路４３、第４供給経路４４、第５供給経路４５、第６供給経路４６、第１分岐経路７１及び第２分岐経路７２により構成されている。そして、循環経路６８内には、フィルターユニット３６、スタティックミキサー３７、液体貯留室３８、圧力調整弁３９、液体噴射部２８内の液室２８ａ及び流動機構７０が設けられている。なお、流動機構７０は、例えばギヤポンプやダイヤフラムポンプとすることができ、循環経路６８における液体の循環方向Ｆが、供給経路３４において液体供給源３１側から液体噴射部２８側へ向かって液体が流れる供給方向Ａと同じになるように液体を流動させる。また、制御部４０は、流動機構７０の駆動も制御する。
【００４０】
図２に示すように、供給機構３２には、供給経路３４ごとに設けられた圧力調整弁３９を強制的に開弁可能な開弁機構８０が、キャリッジ２５の移動に伴って移動する範囲Ｂ（すなわち、キャリッジ２５上）に設けられている。開弁機構８０は、エアを供給するエア供給部８１と、エア供給部８１から供給されるエアの供給量に基づき、対応する圧力調整弁３９が閉弁状態のときに当該圧力調整弁３９を強制的に開弁方向に駆動する複数（本実施形態では５つ）の弁駆動部８２とを備えている。そして、本実施形態では、上記の加圧機構３５と圧力調整弁３９と開弁機構８０とにより、液体噴射装置１１における加圧クリーニングシステムが構成されている。
【００４１】
エア供給部８１は、例えばエアを加圧して出力可能なエアポンプ等により構成される。また、弁駆動部８２は、例えばゴムや樹脂により風船状に形成され、エア供給部８１から供給されるエアの供給量に応じて、図２に実線で示す状態から更に膨張可能である一方で、二点鎖線で示すように収縮可能とされている。すなわち、弁駆動部８２は、その膨張状態において、閉弁状態にある圧力調整弁３９の弁体６５を付勢部材６６の付勢力に抗して開弁方向に押圧することにより、圧力調整弁３９を強制的に開弁する。なお、風船状の弁駆動部８２は、その周りを覆う有底円筒形状のケーシング８２ａの底部に形成された貫通孔８２ｂに、エア供給部８１側から供給されるエアの受入口部８２ｃが挿通されている。この受入口部８２ｃと貫通孔８２ｂとの間には隙間が存在するため、ケーシング８２ａの内部は大気圧である。なお、ケーシング８２ａは必ずしも設けなくてよい。
【００４２】
エア供給部８１と弁駆動部８２との間は、エア流路８３とエア選択部８４とエア誘導部８５とを介して接続されている。エア流路８３は、例えばパイプ等からなり、その上流端となる一端がエア供給部８１に接続され、その下流端となる他端がエア選択部８４に接続されている。エア選択部８４は、その内部に分岐流路８４ａを有している。分岐流路８４ａは、その上流端となる一端がエア流路８３に接続された所定長さの流路であって、その長さ方向の複数箇所（図２では５箇所）から分岐した複数（図２では５つ）の下流端が、弁駆動部８２ごとに対応する複数（図２では５つ）のエア誘導部８５に接続されている。
【００４３】
エア誘導部８５は、例えばパイプ等からなり、その上流端となる一端がエア選択部８４における分岐流路８４ａの分岐した下流端に接続され、その下流端となる他端が弁駆動部８２の受入口部８２ｃに接続されている。また、エア誘導部８５の中途には、大気開放部８６が設けられている。大気開放部８６は、例えば電磁弁等からなる大気開放弁であり、制御部４０により駆動される。弁駆動部８２は、図２に実線で示す膨張状態のときに大気開放部８６が大気開放動作することにより、図２に二点鎖線で示す収縮状態に変化する。
【００４４】
エア選択部８４の分岐流路８４ａにおける複数（図２では５つ）の分岐箇所には、それぞれ切替弁８４ｂが設けられている。これらの切替弁８４ｂは、開弁することによりエア誘導部８５に対して連通状態となり、閉弁することによりエア誘導部８５に対して非連通状態となる。そして、本実施形態では、これら複数の切替弁８４ｂごとに対応するように複数のソレノイド８７が設けられている。これらのソレノイド８７は、制御部４０により動作状態が制御される。すなわち、ソレノイド８７は、制御部４０による制御に基づき、励磁により駆動されたときに切替弁８４ｂを開弁させる一方、消磁により駆動停止されたときに切替弁８４ｂを閉弁させる。
【００４５】
なお、本実施形態におけるソレノイド８７は、永久磁石（図示略）を備えたキープソレノイドであることが好ましい。すなわち、ソレノイド８７がキープソレノイドでない場合は、励磁により駆動されて切替弁８４ｂを開弁状態にした後、その開弁状態を維持するにはソレノイド８７が励磁により駆動され続けていることが必要になる。これに対し、ソレノイド８７をキープソレノイドで構成した場合には、励磁により駆動されて切替弁８４ｂを開弁状態にすると、その切替弁８４ｂの開弁状態が永久磁石の吸着作用により維持される。そのため、例えば圧力調整弁３９の開弁状態を維持させておきたい場合においても、ソレノイド８７を励磁により駆動し続けておく必要がなくなり、この点で省電力に寄与できる。
【００４６】
また、ソレノイド８７がキープソレノイドでない場合は、全てのソレノイド８７を開弁状態にするような場合があるため、そのような状態に備えるよう大電力に耐えうる電源装置や制御回路を準備する必要があり、電源装置や制御回路が高コストとなってしまう。この点、ソレノイド８７がキープソレノイドである場合は、全てのソレノイド８７を開弁状態とする制御をしても、それら全てを励磁し続けるための電力が必要ではなくなるため、電源装置や制御回路のコストを低減させることができる。さらに、同時に励磁するキープソレノイドの数を全てのソレノイド８７の数よりも少なくし、時間をずらして徐々に全てのキープソレノイドを励磁していくよう制御することで、一度に消費される電力を抑えることができる。その結果、電源装置や制御装置の耐電圧を下げることができるため、電源装置と制御回路のコストを低減させることができる。
【００４７】
また、ソレノイド８７は、励磁と消磁との切り替えタイミングを調整することにより、切替弁８４ｂの開弁時間を調整可能である。すなわち、ソレノイド８７は、切替弁８４ｂの開弁時間を調整することにより、エア供給部８１からのエア選択部８４の切替弁８４ｂを介したエア誘導部８５に対するエアの供給量を調整可能である。換言すると、ソレノイド８７は、切替弁８４ｂの開弁時間の調整を通じて、弁駆動部８２による圧力調整弁３９の開弁状態を調整することにより、圧力調整弁３９を介して液体供給源３１側から液体噴射部２８側に流動する液体の流動量を調整可能とされている。この点で、ソレノイド８７は、選択されたエア誘導部８５に対するエアの供給量を調整可能なエア調整部として機能する。
【００４８】
次に、以上のように構成された液体噴射装置１１及び加圧クリーニングシステムの作用について説明する。
さて、図２に示す状態において、液体噴射部２８から液体が噴射されると、圧力調整弁３９における圧力室６４内に収容されている液体が第６供給経路４６を介して液体噴射部２８に供給されるため、圧力室６４内の圧力が低下する。すると、ダイヤフラム６７は、外面側圧力（大気圧）の方が、内面側圧力（圧力室６４の内圧＋付勢部材６６の付勢力）よりも大きくなるため、その差圧に応じて圧力室６４の容積を小さくする方向へ撓み変形する。そして、こうしたダイヤフラム６７の変形に伴って弁体６５が開弁方向（図２では右方向）に押圧されて移動することにより、圧力調整弁３９は開弁状態となる。
【００４９】
また、圧力調整弁３９において供給室６２内の液体は加圧機構３５により加圧されている。そのため、閉弁していた圧力調整弁３９が開弁すると、供給室６２から圧力室６４に液体が流入し、圧力室６４内の圧力が上昇する。すると、ダイヤフラム６７は、内面側圧力（圧力室６４の内圧＋付勢部材６６の付勢力）の方が、外面側圧力（大気圧）よりも大きくなるため、圧力室６４の容積を増大させるように変形する。そして、このダイヤフラム６７の変形に伴って弁体６５が閉弁方向（図２では左方向）に移動することにより、圧力調整弁３９は開弁状態から閉弁状態となり、液体が連通孔６３を介して供給室６２から圧力室６４に流入するのを規制する。
【００５０】
その後、圧力調整弁３９は、液体噴射部２８からの液体の噴射に基づいてダイヤフラム６７が外面側圧力と内面側圧力の差圧に応じて変形することにより、開弁状態と閉弁状態とを小刻みに切り替えて、液体噴射部２８に供給される液体の圧力を調整し、ノズル２６の背圧となる液体噴射部２８内の圧力を調整する。
【００５１】
次に、液体噴射部２８におけるノズル２６の目詰まり等を解消する加圧クリーニングを行うときには、液体噴射部２８における複数のノズル２６のうち、その時点において加圧クリーニングが必要とされるノズル２６だけに加圧クリーニングが行われる。すなわち、ユーザーによる操作パネル（図示略）等を用いた操作により加圧クリーニングを行う対象として選択されたノズル（以下、「選択ノズル」と称する。）２６に対して液体を供給する供給経路３４に設けられている加圧機構３５のダイヤフラムポンプ５０だけが制御部４０の制御により駆動される。すると、ダイヤフラムポンプ５０において加圧された液体が、供給経路３４を下流側の圧力調整弁３９に向けて流動し、圧力調整弁３９の供給室６２に流入する。そのため、弁体６５が閉弁方向（図２では左方向）に移動し、その圧力調整弁（以下、「選択圧力調整弁」と称する。）３９は閉弁状態となる。
【００５２】
すると次に、開弁機構８０において、エア供給部８１が駆動され、閉弁状態の選択圧力調整弁３９と個別に対応する弁駆動部（以下、「選択弁駆動部」と称する。）８２にエアが供給される。すなわち、エア選択部８４における複数の切替弁８４ｂのうち、選択弁駆動部８２と対応する切替弁（以下、「選択切替弁」と称する。）８４ｂが制御部４０の制御により開弁される。なお、選択切替弁８４ｂは、対応するソレノイド８７が励磁により駆動されることにより開弁される。また、ソレノイド８７がキープソレノイドである場合には開弁状態が永久磁石の吸着作用により維持される。すると、選択切替弁８４ｂと選択弁駆動部８２との間を接続するエア誘導部（以下、「選択エア誘導部」と称する。）８５を介して、選択弁駆動部８２にエア供給部８１からの加圧されたエアが流入し、選択弁駆動部８２が図２に示す状態よりも大きく膨張する。
【００５３】
すると、閉弁状態にあった選択圧力調整弁３９は、大きく膨張した選択弁駆動部８２により弁体６５が押されて開弁方向に移動し、開弁状態となる。すなわち、閉弁状態の選択圧力調整弁３９は、開弁機構８０により強制的に開弁される。なお、この場合において、エア供給部８１から弁駆動部８２に至るエア供給系を構成する開弁機構８０は、圧力調整弁３９と共にキャリッジ２５に搭載されているため、キャリッジ２５に搭載されていない場合よりも、圧力調整弁３９に対する距離を相対的に短くできる。したがって、開弁機構８０において圧力調整弁３９を開弁方向に駆動するエアの供給量が減衰するのを抑制でき、閉弁状態の選択圧力調整弁３９は応答性よく開弁される。
【００５４】
そして、選択圧力調整弁３９が開弁されると、加圧された液体が供給室６２から連通孔６３を介して圧力室６４に流入し、その圧力室６４から液体噴射部２８の選択ノズル２６に向けて流動する。そして、その選択ノズル２６から加圧された液体を滲み出させることにより、加圧クリーニングを行う対象として選択された選択ノズル２６についてだけ加圧クリーニングが行われる。その一方、その時点では目詰まり等がなくて加圧クリーニングが不必要なノズル２６に対応した供給経路３４に設けられている圧力調整弁３９が強制的に開弁されることはない。そのため、そのような加圧クリーニングが不必要なノズル２６から液体が滲み出て無駄に消費されるようなこともない。
【００５５】
ところで、ソレノイド８７が永久磁石を備えたキープソレノイドであると、永久磁石の磁力を上回る逆方向への磁力が発生するように逆励磁されることがない限り、永久磁石の吸着作用により、電源のオフ時等においても選択切替弁８４ｂは開弁状態が維持される。そのため、電源のオフ時等においても、選択切替弁８４ｂが開弁している限り、選択エア誘導部８５を介して選択弁駆動部８２にはエア供給部８１からの加圧されたエアの供給が続き、選択圧力調整弁３９は強制的に開弁されたままとなる。すなわち、開弁状態の選択圧力調整弁３９を介して液体噴射部２８の選択ノズル２６には液体が供給され続けることになり、そうなると選択ノズル２６から液体が無駄に滲み出てしまう虞がある。そこで、停電等で電源が強制的に遮断された場合や電源のオフ時等にノズル２６からの液体の滲み出しを抑制したい場合には、制御部４０の制御により選択エア誘導部８５に設けられた大気開放部８６が大気開放動作させられる。その結果、キープソレノイド８７により開弁状態に維持された選択切替弁８４ｂと対応する選択エア誘導部８５内が大気開放されるため、供給されるエアの供給量に基づき選択弁駆動部８２が選択圧力調整弁３９を開弁方向に駆動することもなくなる。
【００５６】
なお、キープソレノイドであるソレノイド８７を励磁により駆動して選択切替弁８４ｂを開弁状態にし、供給されるエアの供給量に基づき選択弁駆動部８２により選択圧力調整弁３９を開弁させた後、そのソレノイド８７を逆励磁により逆方向に駆動して選択切替弁８４ｂを閉弁状態に維持した状態で、エア供給部８１の駆動を停止させることもある。そして、こうした場合において、選択切替弁８４ｂが閉弁状態であり選択弁駆動部８２が弁体６５を押して加圧クリーニングを実施している最中に停電などで電源が強制的に遮断されたときには、選択切替弁８４ｂが永久磁石の吸着作用により閉弁状態に維持されるため、選択ノズル２６から液体が無駄に滲み出てしまう虞がある。そこで、このような停電や電源のオフ時においてノズル２６からの液体の滲み出しを抑制したい場合にも、制御部４０の制御により選択エア誘導部８５に設けられた大気開放部８６が大気開放動作させられる。その結果、キープソレノイド８７の永久磁石により閉弁状態に維持された選択切替弁８４ｂと対応する選択エア誘導部８５内が大気開放されるため、選択弁駆動部８２がエアの供給量に基づき選択圧力調整弁３９を開弁方向に駆動することもなくなる。
【００５７】
また、大気開放部８６はエア流路８３に接続される構成でもよく、電源プラグがコンセントから抜け落ちたり停電が発生したりして電源が遮断されたときに、制御部がコンデンサー等に蓄えられた残電力で、大気開放部８６を大気開放動作させ、全ての選択切替弁８４ｂを開弁するようにしてもよい。こうすることにより、弁駆動部８２の圧力がさがることによって弁体６５が閉弁方向に移動して閉弁するため、圧力調整弁３９が開弁したままとなることを回避でき、液体が無駄にノズルから漏れ出ることを抑制できる。
【００５８】
また、互いに粘度が異なる複数種の液体を噴射する複数のノズル２６について、これらを一緒に加圧クリーニングするときには、それぞれのノズル２６に対応した供給経路３４上の圧力調整弁３９を開弁させるときに駆動される弁駆動部８２に向けてエアを誘導するエア誘導部８５に対するエアの供給量が調整される。すなわち、加圧クリーニングの対象となるノズル２６と圧力調整弁３９及び弁駆動部８２を介して対応するエア誘導部８５に対して開弁時に連通する切替弁８４ｂの開弁状態が調整される。ここで、複数種の液体のうち相対的に粘度が高い液体（例えばホワイトインク）を噴射するノズル２６と圧力調整弁３９等を介して対応する切替弁のことを、高粘度側切替弁と称する。一方、相対的に粘度が低い液体（例えばカラーインク、洗浄液）を噴射するノズル２６と圧力調整弁３９等を介して対応する切替弁のことを、低粘度側切替弁と称する。
【００５９】
互いに粘度が異なる複数種の液体のうち、相対的に粘度が高い液体は、相対的に粘度が低い液体よりも流動性が劣る。そのため、相対的に粘度が高い液体は、開弁状態の圧力調整弁３９を通過して液体噴射部２８のノズル２６に至るまでに時間がかかり、そのノズル２６の加圧クリーニングに費やす時間が長くなってしまう。そこで、こうした場合には、高粘度側切替弁８４ｂの開弁時間（又は開弁回数）が低粘度側切替弁８４ｂの開弁時間（又は開弁回数）よりも多くなるように、各切替弁８４ｂと対応するソレノイド８７を制御部４０の制御により励磁及び消磁する。
【００６０】
上記実施形態によれば、以下のような効果を得ることができる。
（１）液体噴射部２８における複数のノズル２６のうち加圧クリーニングが必要とされるノズル２６に対応した供給経路３４に設けられた圧力調整弁３９だけを、選択されたエア誘導部８５を介したエアの供給により開弁方向に駆動できる。すなわち、加圧クリーニングが不必要なノズル２６に対応した供給経路３４に設けられた圧力調整弁３９は開弁されず、加圧クリーニングが不必要なノズル２６からは加圧された液体が無駄に滲み出ることはない。したがって、加圧クリーニング時における液体の無駄な消費を抑制することができる。
【００６１】
（２）エア供給部８１から弁駆動部８２に至るエア供給系を構成する開弁機構８０は、圧力調整弁３９と共にキャリッジ２５上に設けられているので、圧力調整弁３９と共にキャリッジ２５上に設けられていない場合よりも圧力調整弁３９に対する距離が短くなる。そのため、圧力調整弁３９を開弁方向に駆動するためにエア供給系を通じて弁駆動部８２に供給されるエアの供給量も減衰し難くなり、圧力調整弁３９を効率よく開弁方向に駆動できる。
【００６２】
（３）複数のソレノイド８７のうち、加圧クリーニングが必要とされるノズル２６に対応した供給経路３４上の圧力調整弁３９を開弁させる弁駆動部８２に向けてエアを誘導可能なエア誘導部８５と対応付けられたソレノイド８７を励磁により駆動することにより、閉弁状態の圧力調整弁３９を応答性よく開弁させることができる。
【００６３】
（４）ソレノイド８７がキープソレノイドである場合には、励磁により駆動された後において消磁により駆動停止されても永久磁石の吸着作用により、励磁により駆動されたときに複数のエア誘導部８５のうちから選択したエア誘導部８５の選択状態を省電力で維持できる。
【００６４】
（５）例えば電源のオフ時等において、キープソレノイド８７により選択状態が維持されたエア誘導部８５を大気開放させると、供給されるエアの供給量に基づき弁駆動部８２が圧力調整弁３９を開弁方向に駆動することもなくなる。そのため、圧力調整弁３９が開弁したままとなることを回避でき、液体が無駄にノズル２６から漏れ出ることを抑制できる。
【００６５】
（６）高粘度の液体を噴射するノズル２６に対応した供給経路３４上の圧力調整弁３９を開弁させる弁駆動部８２に向けてエアを誘導するエア誘導部８５に対するエアの供給量を相対的に大きくなるように調整すれば、時間当たりの液体の流動量を稼ぐことができるので、加圧クリーニングに費やす時間を短縮できる。
【００６６】
なお、上記実施形態は以下のように変更してもよい。
・開弁機構８０において、加圧クリーニング時に選択されたエア誘導部８５に対するエア供給量を調整する場合、エア調整部としてのソレノイド８７の励磁及び消磁を調整する以外に、切替弁８４ｂの開度を調整することによりエア供給量を調整してもよい。
【００６７】
・エア誘導部８５に設けられた大気開放部８６は、電源のオフ時以外に電源のオン時に大気開放動作することにより、弁駆動部８２による圧力調整弁３９の開弁状態を解除するようにしてもよい。
【００６８】
・開弁機構８０においてエア選択部８４の切替弁８４ｂを開弁させるときに励磁により駆動されるソレノイド８７は、永久磁石を備えたキープソレノイドでなく、永久磁石を備えない通常のソレノイドであってもよい。
【００６９】
・開弁機構８０は、液体噴射部２８及び圧力調整弁３９が搭載されたキャリッジ２５上ではなく、キャリッジ２５上以外の装置本体１６内の一部に配置される構成であってもよい。
【００７０】
・加圧クリーニングシステムの一部を構成する加圧機構３５は、供給経路３４において圧力調整弁３９よりも上流側であれば、例えばスタティックミキサー３７が設けられた位置などに配置されていてもよい。
【００７１】
・開弁機構８０において、弁駆動部８２は、エア供給部８１から供給されるエアの供給量で対応する圧力調整弁３９の弁体６５を開弁方向に駆動する構成であれば、ゴムや樹脂により風船状に形成された構成に限らず、エアシリンダーなどで構成されていてもよい。
【００７２】
・開弁機構８０において、弁駆動部８２は、ソレノイド８７により圧力調整弁３９の弁体６５を直接押すことで当該弁体６５を開弁方向に駆動する構成や、エア供給部８１から供給されるエアを圧力調整弁３９の弁体６５に直接吹きかけることで当該弁体６５を開弁方向に駆動する構成でもよい。
【００７３】
・開弁機構８０において、エア選択部８４における分岐流路８４ａの分岐箇所（切替弁８４ｂ）、エア誘導部８５及び弁駆動部８２の数は、実施形態における数（５つ）に限定されない。すなわち、液体噴射部２８における複数種の液体を噴射する複数のノズル２６と対応する数であればよく、５つ以外の複数（例えば４つ、６つ等）であってもよい。
【００７４】
・上記実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、沈降性を有する含有物を含む液体であって、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。
【符号の説明】
【００７５】
１１…液体噴射装置、１２…支持台、１３…シート、１４…搬送部、１５…印刷部、１６…装置本体、１７…カバー、１８…搬送ローラー対、１９…搬送ローラー対、２０…案内板、２２，２３…ガイド軸、２４…キャリッジモーター、２５…キャリッジ（移動体）、２６…ノズル、２７…ノズル形成面、２８…液体噴射部、２８ａ…液室、３０…メンテナンスユニット、３０ａ…ワイパー、３０ｂ…キャップ、３１…液体供給源、３２…供給機構、３３…装着部、３４…供給経路、３５…加圧機構、３６…フィルターユニット、３７…スタティックミキサー、３８…液体貯留室、３９…圧力調整弁、４０…制御部、４１…第１供給経路、４２…第２供給経路、４３…第３供給経路、４４…第４供給経路、４５…第５供給経路、４６…第６供給経路、４８…上流室、４９…下流室、５０…ダイヤフラムポンプ、５１…吸入弁、５２…吐出弁、５３…供給源側フィルター、５４…噴射部側フィルター、５５…噴射部内フィルター、５６…筒状ハウジング、５７…分断板、５８…可撓性部材、５９…ばね、６１…フィルター室、６２…供給室、６３…連通孔、６４…圧力室、６５…弁体、６５ａ…受圧部、６６…付勢部材、６７…ダイヤフラム、６８…循環経路、６９…分岐経路、７０…流動機構、７１…第１分岐経路、７２…第２分岐経路、８０…開弁機構、８１…エア供給部、８２…弁駆動部、８２ａ…ケーシング、８２ｂ…貫通孔、８２ｃ…受入口部、８３…エア流路、８４…エア選択部、８４ａ…分岐流路、８４ｂ…切替弁、８５…エア誘導部、８６…大気開放部、８７…ソレノイド（キープソレノイド）、Ａ…供給方向、Ｂ…範囲、Ｆ…循環方向、Ｘ…走査方向、Ｙ…搬送方向、Ｚ…鉛直方向。
【図１】
2018176627.tif 000003
【図２】
2018176627.tif 000004